(57)【要約】      （修正有）【課題】電子機器に無線接続して送受信することができ、且つ、１対のイヤホンの双方向でコードを巻くことができる無線イヤホンを提供する。【解決手段】下蓋１１とその中央位置に設置される固定エレメントとを含む固定部品キットと、前記固定エレメントに挿通させるためのカップ部及びその頂縁から延伸してなる環状盤を備える回転座とその上に固定される上蓋２２とを含む。また、前記固定エレメントを軸として回動する回転ハウジングと回路基板、送受信チップ及び電池を含み、その一端が前記カップ部に接続され、その他端が前記固定エレメントに接続される渦巻きばねと、その一端が前記カップ部の外周に巻きつけられ前記回路基板に延伸して接続され、その他端が前記下蓋を挿通するように構成するイヤホンコード５０と、前記回転座と前記下蓋との間に設置され、前記回転ハウジングと前記固定部品キットの相対位置を固定する位置決めキットとを含む。【選択図】図６
0003183367.tif 000002
【実用新案登録請求の範囲】
【請求項１】
下蓋と、前記下蓋の中央位置に設置される固定エレメントと、を含む固定部品キットと、
前記固定エレメントに挿通させるためのカップ部、及び前記カップ部の頂縁から延伸してなる環状盤を備える回転座と、前記回転座の上に固定される上蓋と、を含み、前記固定エレメントを軸として回動する回転ハウジングと、
回路基板、送受信チップ及び電池を含み、前記上蓋と前記回転座との間に設けられ、前記環状盤に固定される電子部品キットと、
その一端が前記カップ部に接続され、その他端が前記固定エレメントに接続される渦巻きばねと、
その一端が前記カップ部の外周に巻きつけられ前記回路基板に延伸して接続され、その他端が前記下蓋を挿通するように構成する少なくとも一つのイヤホンコードと、
前記回転座と前記下蓋との間に設置されることによって、前記回転ハウジングと前記固定部品キットの相対位置を固定する位置決めキットと、
を含むことを特徴とする無線イヤホン。
【請求項２】
前記カップ部は、複数の開孔が設けられる側壁と、底面と、を有し、
前記少なくとも一つのイヤホンコードは前記複数の開孔をそれぞれ挿通することを特徴とする請求項１に記載の無線イヤホン。
【請求項３】
前記底面にはストッパーブロックが設けられ、
前記渦巻きばねは、その一部が前記ストッパーブロックと前記側壁との間に収容され、その一端が前記ストッパーブロックの一側に固定されることを特徴とする請求項２に記載の無線イヤホン。
【請求項４】
前記環状盤及び前記側壁は、それぞれ電線孔を有し、
前記イヤホンコードは、前記側壁の前記電線孔及び前記環状盤の前記電線孔を挿通することを特徴とする請求項２に記載の無線イヤホン。
【請求項５】
前記底面には、複数の凸部と、前記複数の凸部同士の間に係止される少なくとも一つの固定部材と、が設けられ、
前記複数の凸部と前記側壁との間には一定間隔を置き、
前記イヤホンコードは、前記複数の凸部と前記側壁との間に係止され、前記固定部材に固定されることを特徴とする請求項２に記載の無線イヤホン。
【請求項６】
前記環状盤の上に複数の第１の係止部が設けられ、
前記上蓋における前記環状盤に面する一側には、前記複数の第１の係止部と対応する複数の第２の係止部が設けられることを特徴とする請求項１に記載の無線イヤホン。
【請求項７】
前記環状盤には、複数の電池座が設けられ、
前記電池は、前記複数の電池座の上に設置され、
前記回路基板は、前記電池の上に設置され、
前記送受信チップは、前記電池と前記回路基板との間に設置されることを特徴とする請求項１に記載の無線イヤホン。
【請求項８】
前記電子部品キットは、前記回路基板の上に設置される少なくとも一つの微動スイッチを更に含み、
前記上蓋には、前記微動スイッチに対応する少なくとも一つのボタンが設けられることを特徴とする請求項１に記載の無線イヤホン。
【請求項９】
前記電子部品キットは、前記回路基板の上に設置される発光素子を更に含み、
前記上蓋には、前記発光素子に対応する光透過孔が設けられることを特徴とする請求項８に記載の無線イヤホン。
【請求項１０】
前記電子部品キットは、前記回路基板の上に設置されるマイクロフォンを更に含み、
前記上蓋には、前記マイクロフォンに対応する集音孔が設けられることを特徴とする請求項８に記載の無線イヤホン。
【請求項１１】
前記固定エレメントは、係止溝を有する固定柱であり、その一端に前記環状盤の内縁に対応する円盤が設けられ、
前記渦巻きばねの一端は、前記係止溝に接続されることを特徴とする請求項１に記載の無線イヤホン。
【考案の詳細な説明】
【技術分野】
【０００１】
本考案は、無線イヤホンに関するものであり、特に電子機器に無線接続することによって電子機器からの音声を送受信することができ、且つ、双方向でコードを巻くことができる無線イヤホンに関するものである。
【背景技術】
【０００２】
現代の多くの人々は、少なくとも一つの携帯電子機器、例えば携帯電話、タブレットパーソナルコンピューター（ＴａｂｌｅｔＰｅｒｓｏｎａｌ Ｃｏｍｐｕｔｅｒ）、ゲーム機などの携帯電子機器を持っている。ユーザーは、周りの人々に迷惑を掛けないように、ほとんどイヤホンやヘッドホンで音声を聞くようにしている。しかしながら、電子機器に接続されるイヤホンやヘッドホンは、コードのまとめが不便し、しかもコードを引っ張ることによってイヤホンやヘッドホン又は電子機器にダメージを与える恐れがある。
【０００３】
特許文献１（台湾実用新案公告第Ｍ２５６０３６号公報）に係る無線イヤホンにおいては、フックをユーザーの耳に引っ掛けることによって無線イヤホンを装着するようにしているため、片耳でしか聞き取れなく、しかも無線イヤホン全体の重さが片耳だけにかけた挙句、耳が痛みやすくて長時間で装着できないといった欠点がある。
【０００４】
従来の双方向のコード巻き取りホルダー、例えば特許文献２（台湾特許公告第Ｉ２８５１８４号公報）に係る双方向のコード巻き取りホルダーにおいては、コードを容易に引き出したり収めたりするように、渦巻きばねによりコード巻き取りホルダーに弾性復帰力を与える設計、二つのコードを逆方向で回転体に巻き付く設計、及び突出部とストッパー部とで位置決め手段を構成する設計を採用する。
従来のコードを位置決める方式、例えば特許文献３（台湾実用新案公告第５１０３６５号公報）、特許文献４（台湾実用新案公告第Ｍ２６３６８１号公報）、特許文献５（台湾実用新案公告第Ｍ３２１４２６号公報）、特許文献６（台湾実用新案公告第Ｍ３２４０５６号公報）において、ラチェット、ピック、レール、鋼球などがコード巻き取りホルダーの位置決め手段として用いられる。
しかしながら、回路基板や電線などのものを従来のコード巻き取りホルダーの中に設置すると、一部のエレメントが回動することでコードの引っ張りや部品の接触不良を起こす恐れがある。
【先行技術文献】
【特許文献】
【０００５】
【特許文献１】台湾実用新案公告第Ｍ２５６０３６号公報
【特許文献２】台湾特許公告第Ｉ２８５１８４号公報
【特許文献３】台湾実用新案公告第５１０３６５号公報
【特許文献４】台湾実用新案公告第Ｍ２６３６８１号公報
【特許文献５】台湾実用新案公告第Ｍ３２１４２６号公報
【特許文献６】台湾実用新案公告第Ｍ３２４０５６号公報
【考案の概要】
【考案が解決しようとする課題】
【０００６】
本考案の出願人は、上記の問題点を改善するために、鋭意検討を行なった結果、合理的な設計で且つ上記の問題点を有効に改善する本考案を完成するに至った。
【０００７】
本考案は、電子機器との間に無線方式でデータを伝送することができ、双方向でコードをまとめることによってコードの引っ張りを防ぐことができる無線イヤホンを提供することを課題とする。
【課題を解決するための手段】
【０００８】
本考案に係る無線イヤホンは、固定部品キット、回転ハウジング、電子部品キット、渦巻きばね、少なくとも一つのイヤホンコード及び位置決めキットを含む。固定部品キットは下蓋及び固定エレメントを含む。固定エレメントは下蓋の中央位置に設置される。回転ハウジングは回転座及び上蓋を含む。上蓋は回転座の上に固定される。回転座は、カップ部と、カップ部の頂縁から延伸してなる環状盤と、を備える。固定エレメントはカップ部を挿通する。回転ハウジングは固定柱を軸として回動する。電子部品キットは、回路基板、送受信チップ及び電池を含む。電子部品キットは、上蓋と回転座との間に設けられており、環状盤に固定される。渦巻きばねは、カップ部の内部に収容されており、その一端がカップ部に接続され、その他端が固定エレメントに接続される。イヤホンコードは、カップ部の外周に巻きつけられており、その一端がカップ部に固定されると共に回路基板に延伸して接続し、その他端が下蓋を挿通する。位置決めキットは、回転座と下蓋との間に設置されることによって、回転ハウジングが固定部品キットに相対的に位置決めされる。
【考案の効果】
【０００９】
本考案によれば、電子部品キットが回転ハウジングに設置されることによって、コードの引っ張りと部品の接続不良を防ぐことができる。
【図面の簡単な説明】
【００１０】
【図１】本考案に係る無線イヤホンの分解模式図を示すものである。
【図２】本考案に係る無線イヤホンのほかの角度の分解模式図を示すものである。
【図３】本考案に係る無線イヤホンにおける回転ハウジング、渦巻きばね及びイヤホンコードを組み合わせる組合模式図を示すものである。
【図４】本考案に係る無線イヤホンの回転ハウジングの模式図を示すものである。
【図５】本考案に係る無線イヤホンの一部の組合模式図を示すものである。
【図６】本考案に係る無線イヤホンの組合模式図を示すものである。
【考案を実施するための形態】
【００１１】
以下、本明細書と図面に開示された本考案の実施形態は、本考案の技術内容をより分かりやすく説明し、本考案の理解を助けるために実施例を挙げたものに過ぎず、本考案の範囲を限定するものではない。ここに開示された実施形態以外にも、本考案の技術的思想に基づく他の変形例も実施可能であることは、本考案の属する技術分野における当業者に自明なことである。
【実施例】
【００１２】
図１は、本考案に係る無線イヤホン１の分解模式図を示すものである。無線イヤホン１は、固定部品キット１０と、回転ハウジング２０と、回転ハウジング２０に設置される電子部品キット３０と、渦巻きばね４０と、回転ハウジング２０に巻きつけられるイヤホンコード５０と、固定部品キット１０と回転ハウジング２０との間に設置される位置決めキット６０と、を含む。渦巻きばね４０は、その一端が固定部品キット１０に接続され、その他端が回転ハウジング２０に接続される。
【００１３】
図１に示すように、固定部品キット１０は、下蓋１１及び固定エレメント１２を含む。ユーザーに無線イヤホン１を衣服や鞄などにつけさせるために、下蓋１１の外側にはクリップ（図示せず）を更に含んでもよい。図２に示すように、固定エレメント１２は、係止溝１２２を有する固定柱である。下蓋１１は、碗状を呈しており、その中央位置には固定孔１１１を有する。固定孔１１１の直径と固定柱１２の直径はほぼ同じであるため、固定柱１２の一端は固定孔１１１に設置されることができる。固定方式としては、ボルトで固定柱１２を固定孔１１１に固定するようにしてもよく、係止方式で固定柱１２を固定孔１１１に固定するようにしてもよく、特に制限がない。また、図２に示すように、固定部品キット１０は、固定柱１２の他端（即ち、下蓋１１と相対する一端）に位置する円盤１２１を更に備える。
【００１４】
図２に示すように、回転ハウジング２０は、回転座２１及び上蓋２２を備える。上蓋２２は回転座２１に固定される。図２及び図３に示すように、回転座２１は、カップ部２１１及び環状盤２１２を備える。環状盤２１２は、カップ２１１の頂縁から延伸してなるものである。図３及び図４に示すように、環状盤２１２の上には複数の係止部２１２１が設けられる。複数の係止部２１２１同士はほぼ同じ間隔を置く。図５に示すように、環状盤２１２の内縁（即ち、カップ部２１１の頂端）の直径は円盤１２１の直径と大体同じであるため、円盤１２１がカップ２１１の頂端に設置されることによって、カップ部２１１内部のキットを保護し、塵の進入を減少することができる。また、図３に示すように、環状盤２１２の上には、複数の電池座２１２２及び一つの電線孔２１２３が設けられる。
【００１５】
図２及び図３に示すように、上蓋２２には、複数の第１の係止部２１２１の位置と対応する複数の第２の係止部２２１が設けられる。第１の係止部２１２２及び第２の係止部２２１は相互に組み合わせるための雄係止部及び雌係止部である。本実施例において、第１の係止部２１２１はフレーム状を呈し、第２の係止部２２１は突起状を呈する。フレーム状の第１の係止部２１２１と突起状の第２の係止部２２１は相互に係合し、これによって、上蓋２２と回転座２１は第２の係止部２２１と第１の係止部２１２１の組合せにより係合固定することができる。図１に示すように、上蓋２２には、複数のボタン２２２、一つの集音孔２２３及び一つの光透過孔２２４が設けられる。複数のボタン２２２は、音量調整、歌曲選択及びオンオフ制御などに用いられる。また、光透過孔２２４の内部には光透過ガラス（図示せず）が設けられるようにしてもよい。上蓋２２には、再生中の歌曲の情報を表示するための表示パネル（図示せず）が設けられる。
【００１６】
図３及び図４に示すように、カップ部２１１は、側壁２１１１及び底面２１１２を有する。側壁２１１１には、複数の開孔２１１３及び電線孔２１１７が設けられる。底面２１１２には、三つの凸部２１１４、二つの固定部材２１１５、一つのストッパーブロック２１１６及び中央位置にある一つの円孔２１１８が設けられる。固定柱１２は円孔２１１８を挿通する。カップ部２１１は下蓋１１の内部に設置される。回転ハウジング２０は、固定柱１２を軸として回転する。凸部２１１４と側壁２１１１との間には一定の間隔を置く。固定部材２１１５は、複数の凸部２１１４同士の間に係止されており、その一端が側壁２１１１に当接される。ストッパーブロック２１１６と側壁２１１１との間には一定の距離を置く。また、本考案において、凸部２１１４、固定部材２１１５及びストッパーブロック２１１６の数量については特に制限がない。
【００１７】
図１に示すように、電子部品キット３０は、回路基板３１、送受信チップ３２、電池３３、微動スイッチ３４、電気コネクタ３５、発光素子３６及びマイクロフォン３７を含む。図１及び図５に示すように、電池３３は、環状盤２１２の電池座２１２２の上に設置される。回路基板３１は、電池３３に電気的に接続される。送受信チップ３２は、回路基板３１と電池３３との間に設置される。微動スイッチ３４、発光素子３６及びマイクロフォン３７は、回路基板における上蓋２２に面する一面に設置される。ボタン２２２は微動スイッチ３４と対応する。ユーザーがボタン２２２を押すと、微動スイッチ３４は動作して指示を伝送する。発光素子３６は光透過孔２２４と対応しており、点灯でユーザーに対して無線イヤホン１の使用状態を提示する。マイクロフォン３７は集音孔２２３と対応しており、ユーザーに録音又は通話を行わせるためのものである。電気コネクタ３５は、回路基板３１の他面に設置されており、電池３３を充電したり、情報を無線イヤホン１に伝送したりすることができる。上述の構造によれば、電子部品キット３０は、回転ハウジング２０に従って回転できる。また、本実施例において、送受信チップ３２はブルートゥースチップであり、発光素子３６はＬＥＤチップである。
【００１８】
図３に示すように、渦巻きばね４０は、固定柱１２の外周に巻きつけられており、その一部がストッパーブロック２１１６と側壁２１１１との間に設置され、その一端がストッパーブロック２１１６の一側に当接され、その他端が固定柱１２の係止溝１２２に固定される。渦巻きばね４０は、回転ハウジング２０の回転に従って回転しながら引っ張ったり縮めたりすることができるため、回転ハウジング２０に弾性復帰力を与えることができる。
【００１９】
図５に示すように、イヤホンコード５０は、左イヤホンコード及び右イヤホンコードに分けられる。左イヤホンコードと右イヤホンコードは、その一方が時計回り方向で、その他方が反時計回り方向でカップ部２１１にそれぞれ巻きつけられている。また、図２、図３及び図５に示すように、左イヤホンコード及び右イヤホンコードの一端は、異なる開孔２１１３をそれぞれ挿通され、これによって、イヤホンコード５０の一部は凸部２１１４と側壁２１１１との間に収容されると共に固定部材２１１５に固定される。イヤホンコード５０の中から伸び出された複数の電線は、側壁２１１１の電線孔２１１７及び環状盤２１２の電線孔２１２３を挿通し、上蓋２２の方向へ延伸して回路基板３１に電気的に接続される。図６に示すように、イヤホン５０の他端は下蓋１１を挿通してスピーカー部５１に接続される。二つのスピーカー部５１のうちの一つは、集音マイクロフォン（図示せず）に変更してもよい。上述の配置によれば、左イヤホンコードと右イヤホンコードは、同時に引っ張ったり縮めたりすることができる。イヤホンコード５０を引っ張ることによって、カップ部２１１は連動して固定柱２１１を軸として回転し、これによって、回転ハウジング２０全体及び電子部品キット３０も連動して回転する。また、イヤホンコード５０は精確な長さを有しない場合、イヤホンコード５０が電線孔２１１７、２１１３を挿通する配線方式は長さが長いイヤホンコード５０を収容する余裕があるため、回路基板３１に直接に接続される方式よりも有効に収容できる。
【００２０】
図１に示すように、位置決めキット６０は、回転座２１と下蓋１１との間に設置される。位置決めキット６０は、例えばラチェット、ピック、レール、鋼球などの一つ又はその組合せで構成してもよい。
【００２１】
図３に示すように、位置決めキット６０は、回転ハウジング２０を固定部品キット１０における所定位置に固定する。これにより、ユーザーは下蓋１１の外に露出すべきイヤホンコード５０の長さを決めることができる。また、イヤホンコード５０が全部に引き出された時、渦巻きばね４０の弾性復帰力により回転ハウジング２０を元の位置に回転させることによって、イヤホンコード５０を元の位置に巻きつける。これにより、下蓋１１の外に露出しないようにイヤホンコード５０の大部分がカップ部２１１に巻きつけられるため、イヤホンコード５０の絡みや引っ張りによる損害を防ぐことができる。
【００２２】
上述したように、本考案は下記の効果を有する。
１．電子部品キットが回転ハウジングの電池座に設置されるため、イヤホンコードを引き出すことによって回転ハウジングを連動して回転させる時、電子部品キットも連動して回転でき、しかもコードの引っ張りを防ぐことができる。
２．イヤホンコードが環状盤の電線孔及び側壁の電線孔を挿通する配線方式により、長さが長いイヤホンコードを収容する余裕を提供できるため、イヤホンコードの長さの精度要求を低減することができる。
【００２３】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００２４】
１        無線イヤホン
１０      固定部品キット
１１      下蓋
１１１    固定孔
１２      固定柱
１２１    円盤
１２２    係止溝
２０      回転ハウジング
２１      回転座
２１１    カップ部
２１１１  側壁
２１１２  底面
２１１３  開孔
２１１４  凸部
２１１５  固定部材
２１１６  ストッパーブロック
２１１７  電線孔
２１１８  円孔
２１２    環状盤
２１２１  第１の係止部
２１２２  電池座
２１２３  電線孔
２２      上蓋
２２１    第２の係止部
２２２    ボタン
２２３    集音孔
２２４    光透過孔
３０      電子部品キット
３１      回路基板
３２      送受信チップ
３３      電池
３４      微動スイッチ
３５      電気コネクタ
３６      発光素子
３７      マイクロフォン
４０      渦巻きばね
５０      イヤホンコード
５１      スピーカー部
６０      位置決めキット
【図１】
0003183367.tif 000003
【図２】
0003183367.tif 000004
【図３】
0003183367.tif 000005
【図４】
0003183367.tif 000006
【図５】
0003183367.tif 000007
【図６】
0003183367.tif 000008